(57)【特許請求の範囲】
【請求項１】
凹凸を有する固相担体に、少なくとも一つのタンパク質又はタンパク質結合物質（但し、核酸を除く）の残基であるＡが、下記式（Ｉ）のようにスルホニル基を介した共有結合により結合し、凹凸が、珪素、アルミナ又はチタンを含有する、平均粒子径が５０μｍ以下の粒子であり、さらにアミノ酸、ペプチドもしくはタンパク質の水溶液でブロッキング処理されていることを特徴とする生物学的素材チップであって、固相担体に上記した平均粒子径が５０μｍ以下の粒子を接触させ、シランカップリング剤で処理し、ビニルスルホニル基もしくはその反応性前駆体基を導入することを含む工程により製造される生物学的素材チップ；
固相担体―Ｌ―ＳＯ2―Ｘ―Ａ （Ｉ）
［式（Ｉ）において、Ｌは連結基を表わし、Ｘは、−ＣＲ1（Ｒ2）−ＣＲ3（Ｒ4）−を表わし；Ｒ1、Ｒ2、Ｒ3及びＲ4は、互いに独立に、水素原子、炭素原子数１乃至６のアルキル基、炭素原子数６乃至２０のアリール基、又は炭素原子数１乃至６のアルキル鎖を有する合計炭素原子数が７乃至２６のアラルキル基を表し、Ａはタンパク質又はタンパク質結合物質（但し、核酸を除く）の残基を示す。］
【請求項２】
表面に固定されたタンパク質又はタンパク質結合物質（但し、核酸を除く）が、抗体、抗体フラグメント、リガンド、抗原、ハプテン、又はレセプターである、請求項１に記載のチップ。
【請求項３】
表面に固定されたタンパク質又はタンパク質結合物質（但し、核酸を除く）がアビジン類である、請求項１に記載のチップ。
【請求項４】
アビジン類が、アビジン、ストレプトアビジンまたはビオチンと安定な複合体を形成しうるこれらの改変体である、請求項３に記載のチップ。
【請求項５】
表面に固定されたタンパク質が、核酸認識タンパク質であることを特徴とする、請求項１に記載のチップ。
【請求項６】
核酸認識タンパク質が２本鎖ＤＮＡ認識タンパク質である請求項５に記載のチップ。
【請求項７】
２本鎖ＤＮＡ認識タンパク質が２本鎖ＤＮＡ認識抗体である、請求項６に記載のチップ。
【請求項８】
２本鎖ＤＮＡ認識タンパク質がＤＮＡ転写因子である、請求項６に記載のチップ。
【請求項９】
２本鎖ＤＮＡ認識タンパク質がＺｎフィンガーモチーフまたはリングフィンガーモチーフをもつタンパク質である、請求項６に記載のチップ。
【請求項１０】
固相担体がガラス、プラスチック、電極表面、センサーチップ表面である、請求項１から９の何れかに記載のチップ。
【請求項１１】
請求項１〜１０の何れかに記載のチップと、該チップの表面に担持されたタンパク質又はタンパク質結合物質（但し、核酸を除く）と特異的に結合する標的物質を含む検体とを接触させる工程；及び該タンパク質又はタンパク質結合物質と該標的物質との間の相互の結合の形成を検出する工程；を含む、標的物質を検出する方法。
【請求項１２】
標的物質が検知可能なシグナルを生成しうる少なくとも一つの成分で標識されていることを特徴とする、請求項１１に記載の標的物質の検出方法。
【請求項１３】
固相担体に、ケイ素、アルミナまたはチタンを含有する平均粒子径が５０μｍ以下の粒子を接触させ、シランカップリング剤で処理し、ビニルスルホニル基もしくはその反応性前駆体基を導入することを含む工程により製造される下記式（ＩＩ）で表されるビニルスルホニル基もしくはその反応性前駆体基を表面に持つ凹凸を有する固相担体上に、該ビニルスルホニル基もしくはその反応性前駆体基と反応して共有結合を形成する反応性基を有する少なくとも一つのタンパク質又はタンパク質結合物質（但し、核酸を除く）を接触させること、及び固相担体表面にあるフリーのビニルスルホニル基もしくはその反応性前駆体基をアミノ酸、ペプチドもしくはタンパク質水溶液でブロッキング処理することを含み、凹凸が、ケイ素、アルミナまたはチタンを含有する、平均粒子径が５０μｍ以下の粒子である、請求項１に記載のチップの製造方法。
−Ｌ―ＳＯ2―Ｘ’ （ＩＩ）
［上記の式において、Ｌは、―ＳＯ2―Ｘ’と固相担体とを結合する連結基を示し；Ｘ’は、―ＣＲ1＝ＣＲ2（Ｒ3）または―ＣＨ（Ｒ1）―ＣＲ2（Ｒ3）（Ｙ）を表し；Ｒ1、Ｒ2及びＲ3は互いに独立に、水素原子、炭素原子数１乃至６のアルキル基、炭素原子数６乃至２０のアリール基、又は炭素原子数１乃至６のアルキル鎖を有する合計炭素原子数７乃至２６のアラルキル基を表し、Ｙは、求核試薬によって置換される基、あるいは塩基によって「ＨＹ」として脱離する基を表す］
【請求項１４】
表面に固定されたタンパク質又はタンパク質結合物質（但し、核酸を除く）が、抗体、抗体フラグメント、リガンド、抗原、ハプテン、又はレセプターである、請求項１３に記載のチップの製造方法。
【請求項１５】
表面に固定されたタンパク質がアビジン類である、請求項１３に記載のチップの製造方法。
【請求項１６】
アビジン類が、アビジン、ストレプトアビジンまたはビオチンと安定な複合体を形成しうるこれらの改変体である、請求項１５に記載のチップの製造方法。
【請求項１７】
表面に固定されたタンパク質が核酸認識タンパク質であることを特徴とする、請求項１４に記載のチップの製造方法。
【請求項１８】
核酸認識タンパク質が２本鎖ＤＮＡ認識タンパク質である請求項１７に記載のチップの製造方法。
【請求項１９】
２本鎖ＤＮＡ認識タンパク質が２本鎖ＤＮＡ認識抗体である、請求項１８に記載のチップの製造方法。
【請求項２０】
２本鎖ＤＮＡ認識タンパク質がＤＮＡ転写因子である、請求項１８に記載のチップの製造方法。
【請求項２１】
２本鎖ＤＮＡ認識タンパク質がＺｎフィンガーモチーフまたはリングフィンガーモチーフをもつタンパク質である、請求項１８に記載のチップの製造方法。
【請求項２２】
固相担体がガラス、プラスチック、電極表面、センサーチップ表面である、請求項１３から２１記載のチップの製造方法。
【発明の詳細な説明】
【０００１】
【発明の属する技術分野】
本発明は、プロテオーム解析・プロテオミクスに非常に有用であるタンパク質又はタンパク質結合物質（但し、核酸を除く）を固相表面に固定化したチップ、および該チップを用いた検出方法、さらにはその製造方法に関する。
【０００２】
【従来の技術】
多彩な生物の遺伝子機能を効率的に解析するための技術開発が急速に進んでおり、それらのＤＮＡもしくはＤＮＡ断片の塩基配列の解析のために、ＤＮＡチップとよばれる、多数のＤＮＡ断片あるいは合成オリゴヌクレオチドなどのヌクレオチド誘導体を固相基板の表面に固定した検出用具が用いられている。このような固相基板の表面に結合固定されたヌクレオチド誘導体などの、ＤＮＡもしくはその断片あるいは合成オリゴヌクレオチドのような検出用分子はプローブ分子とも呼ばれる。代表的なＤＮＡチップは、スライドガラス等の固相担体に多数のプローブ分子を整列固定させたマイクロアレイである。このＤＮＡチップの製造、そしてその使用に関するＤＮＡチップ関連技術は、ＤＮＡ以外の生体分子の検出にも利用可能であると考えられ、従って、創薬研究、疾病の診断や予防法の開発等に新しい手段を提供するものとして期待されている。
【０００３】
一方、ゲノム解析もほぼ終わり、遺伝子情報の持つ意味を最終的に理解し、細胞の生命活動をシミュレートするために不可欠な情報を提供する「プロテオーム・プロテオミクス」研究が進められている。プロテロームとは、特定の細胞、器官、臓器の中で翻訳生産されているタンパク質の全セットを意味し、さらには化学構造、総量、発現時期、翻訳後修飾、集合体形成などの高次情報解析の研究分野のことを「プロテオミクス」と呼ぶ。
【０００４】
プロテオーム研究は、タンパク質のプロファイリング、タンパク質の同定・精密分析、相互作用ネットワーク解析、プロテオームデータベースの構築からなり、それを生命科学研究への応用していくという分野である。
【０００５】
このうち、相互作用ネットワーク解析法としては、酵母ｔｗｏ？ｈｙｂｒｉｄ法やファージディスプレイ法、アフィニティキャプチャーを利用した方法として免疫沈降法やＢＩＡ―ＭＳ法、カラムスイッチング―質量分析法などが行われている（プロテオーム解析法、１６３―２１１、羊土社、２０００）。以上に挙げた相互作用解析方法はいずれも、ハイスループット解析には至っていない。
【０００６】
Ｓｃｈｒｅｉｂｅｒらにより、ハイスループットなタンパク質の相互作用解析のためのタンパク質マイクロアレイに関する報告がなされた（Ｓｃｉｅｎｃｅ、２８９，１７６０―１７６３、２０００）。これは、アルデヒド基をもったスライドガラス上にタンパク質水溶液を点着し、ＢＳＡ溶液でブロッキング後、タンパク溶液と反応させ蛍光スキャナーで検出するものである。この場合はアルデヒド基とアミノ基との反応生成物であるシッフ塩基の安定性が低い（通常、加水分解が起こり易い）という問題点を有する。
【０００７】
このほかタンパク質を固相に固定化される方法として、特公平７―５３１０８号公報には、タンパク質の末端に疎水性のポリペプチドを導入して、固相に固定化する方法が記載されている。
【０００８】
特許２９２２０４０号には、プロテインＡ分子膜による抗体タンパク質を固定化する方法が記載されている。
【０００９】
特公平７―４３３８０号公報（米国特許第５０９４９６２号明細書に対応）には、リガンド―受容体アッセイに用いる検出用具であって、表面に反応活性基を有する微孔質ポリマー粒子の表面に受容体分子を結合させた分析用具が記載されている。
【００１０】
国際公開ＷＯ００／６１２８２号には、多孔性の固相担体に関する記載がある。主に無機物質の粒子を表面に塗布することで、支持体からの厚みを０．０１〜７０μｍとし、空隙率が１０〜９０％となっている。この多孔性固相担体を用いると、表面積が大きくなるため生物ポリマーの固定量を上げられるメリットを有する。しかしながら、この場合には、（１）蛍光、発光、RI等で検出する場合、励起光や発光物質などによる散乱が増大し、バックグラウンドが高くなる；（２）スポット時の液の浸透が多いので、スポット径を小さくする事が困難で、高密度アレイを作成する事が困難である；（３）標識検体が粒子間の空隙に入り込むため、洗浄工程を十分に行う事が必要で、不十分な場合にはバックグラウンドが高く事が良くある：といった問題があった。
【００１１】
【発明が解決しようとする課題】
本発明は、迅速かつ安定に結合固定可能な反応性固相担体に少なくとも一つのタンパク質又はタンパク質結合物質（但し、核酸を除く）が結合固定されてなるチップ、及びそのチップを用いた特異的結合標的物質の検出方法を提供することを目的とする。さらに本発明は、上記チップの製造方法を提供することを目的とする。
【００１２】
【課題を解決するための手段】
本発明の第１の側面によれば、凹凸を有する固相担体に、少なくとも一つのタンパク質又はタンパク質結合物質（但し、核酸を除く）の残基であるＡが、下記式（Ｉ）のようにスルホニル基を介した共有結合により結合していることを特徴とする生物学的素材チップが提供される。
固相担体―Ｌ―ＳＯ2―Ｘ―Ａ            （Ｉ）
［上記の式において、Ｌは連結基を表わし、Ｘは、−ＣＲ1（Ｒ2）−ＣＲ3（Ｒ4）−を表わし；Ｒ1、Ｒ2、Ｒ3及びＲ4は、互いに独立に、水素原子、炭素原子数１乃至６のアルキル基、炭素原子数６乃至２０のアリール基、又は炭素原子数１乃至６のアルキル鎖を有する合計炭素原子数が７乃至２６のアラルキル基を表し、Ａはタンパク質又はタンパク質結合物質（但し、核酸を除く）の残基を示す。］
【００１３】
本発明の第２の側面によれば、上記した本発明のチップと、該チップの表面に担持されたタンパク質又はタンパク質結合物質（但し、核酸を除く）と特異的に結合する標的物質を含む検体とを接触させる工程；及び
該タンパク質又はタンパク質結合物質と該標的物質との間の相互の結合の形成を検出する工程；
を含む、標的物質を検出する方法が提供される。
【００１４】
本発明の第３の側面によれば、下記式（ＩＩ）で表されるビニルスルホニル基もしくはその反応性前駆体基を表面に持つ凹凸を有する固相担体上に、該ビニルスルホニル基もしくはその反応性前駆体基と反応して共有結合を形成する反応性基を有する少なくとも一つのタンパク質又はタンパク質結合物質（但し、核酸を除く）を接触させることを含む、本発明のチップの製造方法が提供される。
−Ｌ―ＳＯ2―Ｘ’    （ＩＩ）
［上記の式において、Ｌは、―ＳＯ2―Ｘ’と固相担体とを結合する連結基を示し；Ｘ’は、―ＣＲ1＝ＣＲ2（Ｒ3）または―ＣＨ（Ｒ1）―ＣＲ2（Ｒ3）（Ｙ）を表し；Ｒ1、Ｒ2及びＲ3は互いに独立に、水素原子、炭素原子数１乃至６のアルキル基、炭素原子数６乃至２０のアリール基、又は炭素原子数１乃至６のアルキル鎖を有する合計炭素原子数７乃至２６のアラルキル基を表し、Ｙは、求核試薬によって置換される基、あるいは塩基によって「ＨＹ」として脱離する基を表す］
【００１５】
本発明の好ましい態様を以下に記載する。
表面に固定されたタンパク質又はタンパク質結合物質（但し、核酸を除く）が、抗体、抗体フラグメント、リガンド、抗原、ハプテン、又はレセプターである態様；
表面に固定されたタンパク質又はタンパク質結合物質（但し、核酸を除く）がアビジン類である態様；
アビジン類が、アビジン、ストレプトアビジンまたはビオチンと安定な複合体を形成しうるこれらの改変体である態様；
表面に固定されたタンパク質が、核酸認識タンパク質である態様；
核酸認識タンパク質が２本鎖ＤＮＡ認識タンパク質である態様；
【００１６】
２本鎖ＤＮＡ認識タンパク質が２本鎖ＤＮＡ認識抗体である態様；
２本鎖ＤＮＡ認識タンパク質がＤＮＡ転写因子である態様；
２本鎖ＤＮＡ認識タンパク質がＺｎフィンガーモチーフまたはリングフィンガーモチーフをもつタンパク質である態様；
凹凸が、無機物質により形成される粒子である態様；
凹凸が、珪素、アルミナ又はチタンを含有する、平均粒子径が５０μｍ以下の粒子である態様；
固相担体がガラス、プラスチック、電極表面、センサーチップ表面である態様；
標的物質が検知可能なシグナルを生成しうる少なくとも一つの成分で標識されている態様；
チップをアミノ酸、ペプチドもしくはタンパク質の水溶液でブロッキング処理する工程を含む態様；
【００１７】
【発明の実施の形態】
本発明は、凹凸を有する固相担体に、少なくとも一つのタンパク質又はタンパク質結合物質（但し、核酸を除く）の残基であるＡが、下記式（Ｉ）のようにスルホニル基を介した共有結合により結合していることを特徴とする生物学的素材チップに関するものである。
固相担体―Ｌ―ＳＯ2―Ｘ―Ａ            （Ｉ）
［上記の式において、Ｌは連結基を表わし、Ｘは、−ＣＲ1（Ｒ2）−ＣＲ3（Ｒ4）−を表わし；Ｒ1、Ｒ2、Ｒ3及びＲ4は、互いに独立に、水素原子、炭素原子数１乃至６のアルキル基、炭素原子数６乃至２０のアリール基、又は炭素原子数１乃至６のアルキル鎖を有する合計炭素原子数が７乃至２６のアラルキル基を表し、Ａはタンパク質又はタンパク質結合物質（但し、核酸を除く）の残基を示す。］
【００１８】
固定するタンパク質又はタンパク質結合物質（但し、核酸を除く）の代表的な例としては、限定されるものでないが、抗体もしくは抗体フラグメント、リガンド、抗原、ハプテンなどの抗原決定基をもつもの、レセプター、リガンド、アビジン類、核酸認識タンパク質が挙げられる。核酸認識タンパク質の代表的な例としては、２本鎖認識タンパク質が挙げられる。
【００１９】
アビジン類としては、アビジン、ストレプトアビジンまたはビオチンと安定な複合体を形成しうるこれらの改変体が挙げられる。かような安定な複合体を形成しうるとは、ビオチン−アビジン複合体の解離定数（１０-15Ｍ）に近似する解離定数を有する複合体を形成することができることを意味する。また改変体とは、天然由来のアビジンまたはストレプトアビジンの修飾体もしくは断片、あるいはそれらの組換え体を意味する。
【００２０】
核酸認識タンパク質として特に限定されるものではないが、２本鎖ＤＮＡ認識物質が挙げられる。２本鎖ＤＮＡ認識物質としては、２本鎖ＤＮＡを認識し、特異的に結合する物質を示す。２本鎖ＤＮＡ認識物質の具体例としては、ＤＮＡ転写因子、ミスマッチ修復タンパク質、２本鎖ＤＮＡ認識抗体、又はペプチド核酸などを挙げることができる。さらに、２本鎖ＤＮＡ認識物質としては、Ｚｎフィンガーモチーフまたはリングフィンガーモチーフを持つものも挙げられる。
【００２１】
ＤＮＡ転写因子は、遺伝子上のプロモーター領域に結合して、ＤＮＡからｍＲＮＡへの転写を制御する物質である（田村隆明著：転写因子（羊土社  １９９５年））。従って、転写因子は特定の配列の２本鎖ＤＮＡに特異的に結合することが知られている。
【００２２】
多数ある転写因子のうち、Ｚｉｎｃ  Ｆｉｎｇｅｒ  ＰｒｏｔｅｉｎつまりＺｉｎｃ  ＦｉｎｇｅｒやＲｉｎｇ  Ｆｉｎｇｅｒモチーフをもつ転写因子群は、真核生物における出現率は非常に高く、ゲノム中の１％はこれをコードしているらしい。Ｐａｂｏ等はＺｉｎｃ  Ｆｉｇｅｒモチーフの３次構造を解析、ＤＮＡと結合するメカニズムの解明した（Ｓｃｉｅｎｃｅ，２５２，  ８０９（１９９１））。さらに、Ｃｈｏｏ等は、遺伝子組換法により、特定の配列に結合する自然界にはないＺｉｎｃ  Ｆｉｎｇｅｒ  Ｐｒｏｔｅｉｎ群を作製することに成功している（Ｎａｔｕｒｅ  ３７２，６４２［１９９４］，ＰＮＡＳ９１，１１１６３（１９９４））。さらに、Ｓｃｒｉｐｐｓ  Ｒｅｓｅａｒｃｈ  ＩｎｓｔｉｔｕｔｅのグループはＰｈａｇｅ  Ｄｉｓｐｌａｙにより新規なＺｉｎｃ  Ｆｉｎｇｅｒ  Ｐｒｏｔｅｉｎ群の作製に成功している（ＰＮＡＳ９５，２８１２，［１９９８］：９６，２７５８（１９９９））。このように、Ｚｉｎｃ  Ｆｉｎｇｅｒ  Ｐｒｏｔｅｉｎに代表されるＤＮＡ転写因子群は、本来２本鎖ＤＮＡと結合する性質をもっており、かつ近年の研究によれば、任意のＤＮＡ配列を認識する組換体の作製も可能となってきている。このような、タンパク質を固定化することにより、２本鎖ＤＮＡを効率良く支持体上に捕捉することが可能である。
【００２３】
その他、核酸結合物質としてヘリックス・ループ・ヘリックスタンパク質やＥｔｓドメインを持つものも挙げられる。
【００２４】
また、固定するタンパク質結合物質（但し、核酸を除く）としては、ハプテン、ビオチン類（ビオチン、ビオシチン、デスチオビオチン、オキシビオチンまたはアビジンと安定な複合体を形成しうるこれらの誘導体が挙げられる。このような安定な複合体を形成しうるとは、ビオチン−アビジン複合体の解離定数 （１０-15Ｍ）に近似する解離定数を有する複合体を形成することができることを意味する。さらには、ペプチド、糖類、ホルモン、医薬、抗生物質などが挙げられる。
【００２５】
凹凸を有する固相担体に固定するタンパク質又は又はタンパク質結合物質は、その内在するアミノ基もしくはメルカプト基によってスルホニル基を介した共有結合を形成する。さらに、タンパク質にアミノ基、イミノ基、ヒドラジノ基、カルバモイル基、ヒドラジノカルボニル基、メルカプト基、もしくはカルボキシイミド基などを導入し、スルホニル基を介した共有結合を形成させてもよい。
【００２６】
凹凸を有する固相担体にタンパク質又はタンパク質結合物質（例えば、抗体やアビジン類、核酸認識タンパク質）が固定されたチップは、水性媒体の存在下、該固定タンパク質又はタンパク質結合物質と特異的に反応する標的物質（例えばリガンドやビオチン類、核酸）と接触させて、その標的物質を固定することができる。固定すべき特異的結合性の標的物質（例えばリガンドやビオチン類、核酸）はその固定を外部から検知することが可能なように検知可能な標識（例、蛍光標識、酵素標識など）が結合していることが望ましい。
【００２７】
固相担体としては、特異的結合パートナーの一員相互間の結合形成に悪影響を及ぼさないものであれば、その形状は、例えば、平板、マイクロウエル、ビーズ、スティック等のいずれをとることもできる。それらの表面の性状は、特に疎水性、あるいは親水性の低い、表面が平滑な基板であることが好ましい。また、その表面が凹凸を有する平面性の低い基板も用いることができる。固相担体の材質としては、ガラス、セメント、陶磁器等のセラミックスもしくはニューセラミックス、ポリエチレンテレフタレート、酢酸セルロース、ビスフェノールＡのポリカーボネート、ポリスチレン、ポリメチえルメタクリレート等のポリマー、シリコン、活性炭、多孔質ガラス、多孔質セラミックス、多孔質シリコン、多孔質活性炭、織編物、不織布、濾紙、短繊維、メンブレンフィルターなどの各種の多孔質物質を挙げることができる。多孔質物質の細孔の大きさは、２乃至１０００ｎｍの範囲にあることが好ましく、２乃至５００ｎｍの範囲にあることが特に好ましい。固相担体の材質は、ガラスもしくはシリコンであることが特に好ましい。これは、表面処理の容易さや電気化学的方法による解析の容易さによるものである。固相担体の厚さは、１００乃至２０００μｍの範囲にあることが好ましい。また、操作の便宜上、固相担体は磁性体や電極の形態に加工されていてもよい。
【００２８】
本発明の凹凸を有する固相担体としては、従来よりＤＮＡチップの製造に用いられているか、あるいはＤＮＡチップの製造用として提案されている各種の固相担体が好ましく、そのままタンパクチップとて利用することができる。そのような固相担体の例としては、ガラス基板、樹脂基板、シランカップリング剤で表面処理されたガラス基板、もしくは樹脂基板、あるいは表面に被覆層を有するガラス基板もしくは樹脂基板などをあげることができる。固相担体としては、特に、ケイ酸ガラス基板、シランカップリング剤で表面処理されたケイ酸ガラス基板、あるいは有機質被覆層で被覆されたケイ酸ガラス基板であることが好ましい。また、電気化学的な分析方法に用いる電極基板であってもよい。また、前述の表面プラズモン共鳴（ＳＰＲ）バイオセンサ用基板、電荷結合素子（ＣＣＤ）などの各種の機能性基板であってもよい。さらに、これらの基板以外にも、粒子状の固相担体なども用いることができる。
【００２９】
また凹凸性の物質としては、無機物質が好ましく、例えば、コロイダルシリカ、アルミナゾル、酸化チタン、ＺｒＯ2などの金属酸化物、水酸基をもったプラスチック、ラテックスなどが挙げられる。粒子径は５０μｍ以下が好ましく、特に共焦点レーザー蛍光検出する場合には、バックグラウンドを抑えるため、１００ｎｍ以下の微粒子を用いることが好ましい。固相担体に凹凸性物質をコートさせる方法としては、凹凸性物質をシランカップリング剤と混合して、固相担体に接触させ、反応させることで容易に固相担体に凹凸性を付与することができる。固相担体が特にガラスの場合には特に有効である。また凹凸性物質を接触させ、乾燥後、シランカップリング剤で処理しても、作製することができる。
粒子性物質で固相担体をコートすることで凹凸を生じさせると、表面積が平滑面に比べてかなり大きくなり、固定されるＤＮＡ断片の結合物量を大幅に増やせるという利点がある。さらに、以下の理由から重層の形態より単層の方が有利である。
１．  蛍光、発光、RI等で検出する場合、励起光や発光物質などによる散乱が減少し、バックグラウンドが低下する。
２．  スポット時の液の浸透が少ないので、スポット径を小さくする事が可能で、高密度アレイを作成する事ができる。
３．  ハイブリダイゼ−ション後の操作において、未反応の標識検体を除く後処理洗浄工程が容易になる。重層の場合には、標識検体が粒子間の空隙に入り込む。このため洗浄工程を十分に行う事が必要で、不十分な場合にはバックグラウンドが高く事が良くある。
【００３０】
本発明において、チップ上のタンパク質又はタンパク質結合物質（但し、核酸を除く）Ａは下記の式（Ｉ）のようにスルホニル基を介した共有結合により、凹凸を有する固相担体に結合されている。
固相担体−Ｌ−ＳＯ2−Ｘ−Ａ      （Ｉ）
【００３１】
式（Ｉ）において、Ｌは連結基を表わし、Ｘは、−ＣＲ1（Ｒ2）−ＣＲ3（Ｒ4）−を表わし；Ｒ1、Ｒ2、Ｒ3及びＲ4は、互いに独立に、水素原子、炭素原子数１乃至６のアルキル基、炭素原子数６乃至２０のアリール基、又は炭素原子数１乃至６のアルキル鎖を有する合計炭素原子数が７乃至２６のアラルキル基を表し、Ａはタンパク質又はタンパク質結合物質（但し、核酸を除く）の残基を示す。
【００３２】
式（Ｉ）において、Ｌは、―ＳＯ2―Ｘ―Ａと固相担体とを結合する二価もしくはそれ以上の連結基を示す。−Ｌ−の具体例としては、Ｌとしては、脂肪族、芳香族、ヘテロ環、ヘテロ原子で中断されていてもよい炭化水素鎖から選ばれる任意の連結基、さらにこれらの組み合わせから選ばれる連結基を用いることができ、また、Ｌは単結合であってもよい。
【００３３】
式（Ｉ）において、炭素原子数１乃至６のアルキル基の例としては、メチル基、エチル基、ｎ−プロピル基、ｎ−ブチル基、及びｎ−ヘキシル基を挙げることができ、メチル基であることが特に好ましい。炭素原子数６乃至２０のアリール基の具体例としては、フェニル基及びナフチル基を挙げることができる。Ｒ1、Ｒ2及びＲ3は共に水素原子であることが好ましい。
炭素原子数１乃至６のアルキル鎖を有する合計炭素原子数７乃至２６のアラルキル基の例としては、上記した炭素原子数１乃至６のアルキル基の例と炭素原子数６乃至２０のアリール基の例とを組み合わせたものが挙げられる。
【００３４】
本発明はさらに、上記した本発明のチップと、該チップの表面に担持されたタンパク質又はタンパク質結合物質（但し、核酸を除く）と特異的に結合する標的物質を含む検体とを接触させる工程；及び
該タンパク質又はタンパク質結合物質と該標的物質との間の相互の結合の形成を検出する工程；
を含む、標的物質を検出する方法に関する。
【００３５】
本発明でいう「検体」の種類は特に制限されず、例えば、末梢静脈血のような血液、白血球、血清、尿、糞便、精液、唾液、培養細胞、各種臓器細胞のような組織細胞、その他核酸を含有する任意の試料を用いることができる。検体は上記のような組織細胞などの試料をそのまま使用してもよいが、好ましくは、検体試料中の細胞を破壊して核酸、リガンドなどを遊離させたものを検体として使用する。検体試料中の細胞の破壊は、常法により行うことができ、例えば、振とう、超音波等の物理的作用を外部から加えて行うことができる。また、核酸抽出溶液（例えば、ＳＤＳ、Triton-X、Tween-20等の界面活性剤、又はサポニン、ＥＤＴＡ、プロテア―ゼ等を含む溶液等）を用いて、細胞から核酸を遊離させることもできる。核酸抽出溶液を用いて核酸を溶出する場合には、37℃以上の温度でインキュベ―トすることにより反応を促進することができる。
【００３６】
さらに本発明は、下記式（ＩＩ）で表されるビニルスルホニル基もしくはその反応性前駆体基を表面に持つ凹凸を有する固相担体上に、該ビニルスルホニル基もしくはその反応性前駆体基と反応して共有結合を形成する反応性基を有する少なくとも一つのタンパク質又はタンパク質結合物質（但し、核酸を除く）を接触させることを含む、本発明のチップの製造方法に関する。
−Ｌ―ＳＯ2―Ｘ’    （ＩＩ）
［式（ＩＩ）において、Ｌは、―ＳＯ2―Ｘ’と固相担体とを結合する連結基を示し；Ｘ’は、―ＣＲ1＝ＣＲ2（Ｒ3）または―ＣＨ（Ｒ1）―ＣＲ2（Ｒ3）（Ｙ）を表し；Ｒ1、Ｒ2及びＲ3は互いに独立に、水素原子、炭素原子数１乃至６のアルキル基、炭素原子数６乃至２０のアリール基、又は炭素原子数１乃至６のアルキル鎖を有する合計炭素原子数７乃至２６のアラルキル基を表し、Ｙは、求核試薬によって置換される基、あるいは塩基によって「ＨＹ」として脱離する基を表す］
【００３７】
式（ＩＩ）において、炭素原子数１乃至６のアルキル基の例としては、メチル基、エチル基、ｎ−プロピル基、ｎ−ブチル基、及びｎ−ヘキシル基を挙げることができ、メチル基であることが特に好ましい。炭素原子数６乃至２０のアリール基の具体例としては、フェニル基及びナフチル基を挙げることができる。Ｒ1、Ｒ2及びＲ3は共に水素原子であることが好ましい。
炭素原子数１乃至６のアルキル鎖を有する合計炭素原子数７乃至２６のアラルキル基の例としては、上記した炭素原子数１乃至６のアルキル基の例と炭素原子数６乃至２０のアリール基の例とを組み合わせたものが挙げられる。
【００３８】
式（ＩＩ）において、Ｙは、―ＯＨ、―ＯＲ0、―ＳＨ、ＮＨ3、ＮＨ2Ｒ0（但し、Ｒ0は、水素原子を除く、アルキル基などの基である）などの求核試薬によって置換される基、あるいは塩基によって「ＨＹ」として脱離する基を表わし、その例としては、ハロゲン原子、―ＯＳＯ2Ｒ11、―ＯＣＯＲ12、―ＯＳＯ3Ｍ、あるいは四級ピリジニウム基を表わす（Ｒ11は、炭素原子数が１乃至６のアルキル基、炭素原子数が６乃至２０のアリール基、あるいは炭素原子数が１乃至６のアルキル鎖を有する合計炭素原子数が７乃至２６のアラルキル基を表わし；Ｒ12は、炭素原子数が１乃至６のアルキル基あるいは炭素原子数が１乃至６のハロゲン化アルキル基を表わし；Ｍは、水素原子、アルカリ金属原子あるいはアンモニウム基を表わす）を挙げることができる。
【００３９】
Ｒ11のアルキル基、Ｒ11のアリール基、およびＲ11のアラルキル基は、置換基を持っていてもよい。このような置換基としては、水酸基、炭素原子数が１乃至６のアルコキシ基、炭素原子数が１乃至６のアルケニル基、炭素原子数が２乃至７のカルバモイル基、炭素原子数が１乃至６のアルキル基、炭素原子数が７乃至１６のアラルキル基、炭素原子数が６乃至２０のアリール基、スルファモイル基（もしくはそのＮａ塩、Ｋ塩等）、スルホ基（もしくはそのＮａ塩、Ｋ塩等）、カルボン酸基（もしくはそのＮａ塩、Ｋ塩等）、ハロゲン原子、炭素原子数が１乃至６のアルケニレン基、炭素原子数が６乃至２０のアリーレン基、スルホニル基、およびこれらの組み合わせからなる群より選ばれる原子もしくは基を挙げることができる。
【００４０】
式（ＩＩ）において、Ｌは、―ＳＯ2―Ｘ’と固相担体とを結合する二価もしくはそれ以上の連結基を示す。−Ｌ−の具体例としては、脂肪族、芳香族、ヘテロ環、ヘテロ原子で中断されていてもよい炭化水素鎖から選ばれる任意の連結基、さらにこれらの組み合わせから選ばれる連結基を用いることができ、また、Ｌは単結合であってもよい。
上記「―Ｘ’」基の好ましい具体例を以下に示す。
【００４１】
【化１】
0004230126.tif 000002
【００４２】
「−Ｘ’」は、上記具体例中、（Ｘ１）、（Ｘ２）、（Ｘ３）、（Ｘ４）、（Ｘ７）、（Ｘ８）、（Ｘ１３）あるいは（Ｘ１４）であることが好ましく、（Ｘ１）あるいは（Ｘ２）であることがさらに好ましい。特に好ましいのは、（Ｘ１）で表わされるビニル基である。
【００４３】
本発明で利用するスルホニル基を介した共有結合は、加水分解に対して高い抵抗性を有しているため、容易に安定に保存することができ、アミノ基やメルカプト基をを予め備えているタンパク質と迅速に反応して、安定な共有結合を形成することができる。
【００４４】
タンパク質はアミノ基またはメルカプト基を有しているため通常は改めて別に反応性基を導入する必要はない。しかしながら、タンパク質の３次元構造はその機能に大きく関与しているので、タンパク質の活性が低下する場合は活性とは関係のない特定の位置に反応基を導入することが好ましい。
【００４５】
タンパク質又はタンパク質結合物質（但し、核酸を除く）を点着する場合は水性液を反応性固相担体の表面に点着することにより実施される。具体的には、タンパク質又はタンパク質結合物質を水性媒体に溶解あるいは分散して水性液としたのち、その水性液を、９６穴もしくは３８４穴プラスチックプレートに分注し、分注した水性液をスポッター装置等を用いて固相担体表面上に滴下して行うことが好ましい。このようにタンパク質又はタンパク質結合物質の点着にはスポッター装置を用いることもできるが、ピンヘッドの性状によってはタンパク質又はタンパク質結合物質の活性を低下させる可能性もある。その場合は、インクジェット装置などを用いることが好ましい場合もありうる。
【００４６】
点着後のタンパク質又はタンパク質結合物質の乾燥及び変性を防ぐために、高沸点の物質を添加してもよい。高沸点の物質としては、点着後のタンパク質又はタンパク質結合物質が溶解あるいは分散してなる水性液に溶解し得るものであって、検出対象の試料との反応を妨げることがなく、かつ粘性があまり大きくない物質であることが好ましい。このような物質としては、グリセリン、エチレングリコール、ジメチルスルホキシドおよび低分子の親水性ポリマーを挙げることができる。親水性ポリマーとしては、ポリアクリルアミド、ポリエチレングリコール、そしてポリアクリル酸ナトリウム等を挙げることができる。このポリマーの分子量は、１０3乃至１０6の範囲にあることが好ましい。高沸点の物質としては、グリセリンあるいはエチレングリコールを用いることがさらに好ましく、グリセリンを用いることが特に好ましい。高沸点の物質の濃度は、点着後のタンパク質の活性によって調節することができる。
【００４７】
同じ目的のために、タンパク質又はタンパク質結合物質を点着した後の固相担体を、９０％以上の湿度および２０乃至４０℃の温度範囲の環境に置くことも好ましい。
【００４８】
タンパク質又はタンパク質結合物質の固定量（数）は、固相担体表面に対して、１乃至１０5種類／ｃｍ2の範囲にあることが好ましい。点着によって、タンパク質又はタンパク質結合物質の水性液は、固相担体表面にドットの形状で固定される。ドットの形状は、ほとんど円形である。それぞれのドット間の距離、大きさ、点着する際の水性液の容量はその用途によって変動する。
【００４９】
図１に、本発明の代表的な態様であるタンパク質チップの構成を模式的に示す。
【００５０】
図１の凹凸を有する固相担体（Ｐ１）の表面に反応性基（Ｚ）を有するタンパク質Ａを点着させると、Ｘとタンパク質との反応が起こるが、固相担体（Ｐ１）の表面には該タンパク質が結合していない未反応のＸも存在する。このようなＸは、後に行なわれる標識されたリガンド等との反応において非特異的な反応を生じる可能性があり、非特異的な結合を測定してしまうおそれがあるため、予め該Ｘをブロッキング処理しておくことが好ましい。ブロッキング処理は、固相担体（Ｐ２）の表面に、アミノ基もしくはメルカプト基を有するものを接触させることによって行うことが好ましい。反応させるリガンドの非特異的な結合を防ぐためにはタンパク質ブロッキング剤、即ち、ＢＳＡやカゼイン、ゼラチンなどでブロッキング処理することが好ましい。そうすることで、点着されている部分以外の固相担体（Ｐ２）表面にはＢＳＡなどが存在することとなり、リガンドが結合することができなくなる。また、核酸を反応させる場合には上記タンパク質ブロッキング剤のほかに、アミノ基またはメルカプト基を有するアニオン性化合物を接触させることによってブロッキング処理することができる。タンパク質と反応するものが核酸の場合は、核酸は負の電荷を有するため、固相担体（Ｐ２）表面にも負の電荷を発生させることによって、核酸が未反応のＸと反応するのを防ぐことができる。このようなアニオン性化合物としては、Ｘと反応し、かつ負の電荷（ＣＯＯ-、ＳＯ3-、ＯＳＯ3-、ＰＯ3-、もしくはＰＯ2-）を有するものであれば何れのものも用いることができるが、アミノ酸であることが好ましく、グリシンもしくはシステインであることが特に好ましい。また、タウリンも好ましく用いることができる。
【００５１】
本発明の代表的な態様であるタンパク質チップは、タンパク質相互作用解析、タンパク質発現解析、創薬研究に利用される。さらに、タンパク質が核酸結合タンパク質の場合は、その認識核酸配列によっては変異解析や多型解析に利用することができる。
【００５２】
検出原理は標識されたリガンドや核酸との反応である。標識方法としてはＲＩ法と非ＲＩ法（蛍光法、ビオチン法、化学発光法等）とが知られているが、とくに限定されるものではない。例えば蛍光法の場合、蛍光標識に利用される蛍光物質としては、核酸の塩基部分やタンパク質アミノ酸残基と結合できるものであれば何れも用いることができるが、シアニン色素（例えば、市販のＣｙ  ＤｙｅTMシリーズのＣｙ３、Ｃｙ５等）、ローダミン６Ｇ試薬、Ｎ―アセトキシ―Ｎ2―アセチルアミノフルオレン（ＡＡＦ）あるいはＡＡＩＦ（ＡＡＦのヨウ素誘導体）を使用することができる。
【００５３】
核酸認識タンパク質が固定されたタンパクチップの場合、検体中の標的核酸は、ＰＣＲ法などで増幅することなく直接検出するのが好ましいが、予め増幅したのちに検出してもよい。標的核酸またはその増幅体は、予め標識しておくことにより容易に検出可能である。核酸を標識するには、酵素(Ｒｅｖｅｒｓｅ  Ｔｒａｎｓｃｒｉｐｔａｓｅ，  ＤＮＡ  ｐｏｌｙｍｅｒａｓｅ  ＲＮＡ  Ｐｏｌｙｍｅｒａｓｅ，Ｔｅｒｍｉｎａｌｄｅｏｘｙｔｒａｎｓｆｅｒａｓｅなど)を用いる方法がよく用いられるが、化学反応により、直接標識物質を結合させてもよい。このような標識方法については、公知の技術として成書に記載されている（野村慎太郎著  脱アイソトープ実験プロトコール１、秀潤社１９９４年、脱アイソトープ実験プロトコール２、秀潤社１９９８年、村松正明著  ＤＮＡマイクロアレイと最新ＰＣＲ法標識物質  秀潤社２０００年）。標識物質は、検出可能なシグナルを作ることの可能な物質であることが好ましい。標識物質が、酵素や触媒のような、シグナルの増幅能力のある物質である場合、ＤＮＡの検出感度は大きく向上する。
【００５４】
しかしながら、前述の標識操作は、一般的に煩雑であるので、さらに好ましい検出方法としては、検体中の核酸を予め標識せずに測定する方法を挙げることができる。これには、例えば２本鎖ＤＮＡを認識するＤＮＡ挿入剤、いわゆるＤＮＡインターカレーターを用いることができる。ＤＮＡインターカレーターの使用により、検出操作が簡単になるだけではなく、検出感度も向上する。例えば、１０００ｂｐのＤＮＡを検出する場合、いわゆる標識法は多くとも数個の標識物質しか導入できないのであるが、インターカレーターを使用する場合は１００個以上の標識物質を導入することが可能である。
【００５５】
ＤＮＡインターカレーターは、そのもの自体が検出可能なシグナルを形成できる物質であってもよいが、その側鎖にシグナル形成物質を結合していたり、ビオチン―アビジン、抗原―抗体、ハプテン―抗体のような特異結合対を介してインターカレーターに結合していてもよい。本発明における、検出可能なシグナルは、例えば、蛍光検出、発光検出、化学発光検出、生物発光検出、電気化学発光検出、放射能検出、電気化学検出、比色検出により検出可能なシグナルであることが好ましいが、これらに限定されるものではない。
【００５６】
リガンドが標的である場合は、内在しているアミノ基にシアニン色素（例えば、市販のＣｙ  ＤｙｅTMシリーズのＣｙ３、Ｃｙ５等）、ローダミン６Ｇ試薬、Ｎ―アセトキシ―Ｎ2―アセチルアミノフルオレン（ＡＡＦ）あるいはＡＡＩＦ（ＡＡＦのヨウ素誘導体）のサクシンイミド体を反応させたものを使用することができる。
本発明を以下の実施例により、さらに具体的に説明するが、これらの実施例は、本発明の理解を容易にするためのものであって、本発明をこれらに限定することを意図するものではない。
【００５７】
【実施例】
［実施例１］抗体固定化スライドによるリガンドの検出
（１）ビニルスルホニル基が導入された凹凸性固相担体（Ａ）の作製
コロイダルシリカ（スノーテックスＰＳ−Ｓ［日産化学工業］／平均粒子径約１０ｎｍ）の５重量％の懸濁液を２００ｍｌ作り、その中に洗浄済みのガラススライド２０枚を市販のバスケットに入れ３０秒間浸積させる。引き上げ後、水切りを行い４５℃の乾燥機で１０分間乾燥させる。次に、このガラススライドを信越シリコーンＫＢＥ９０３（信越化学工業）の２質量％溶液２００ｍｌに市販のスライドウォッシャーを使い３分間反応させる。反応終了後、２００ｍｌの超純水で１分間（スライドウォッシャー使用）水洗する。超純水を交換しながら、さらに前述水洗条件で２回繰り返す。水洗終了後、４５℃の乾燥機で１０分間乾燥させた後に、１１０℃にセットしたオーブンに入れ、１０分間熱処理する。冷却後、３重量％１，２−ビス（ビニルスルホニルアセトアミド）エタン／ｐＨ８．０ほう酸緩衝溶液にスライドウォッシャーを使い、１２０分間反応させる。反応終了後、超純水で２０秒間ｘ３回水洗する。乾燥は２５℃にセットした乾燥機で３０分間行い、凹凸性固相担体（Ａ）が得られた。原子間力顕微鏡（ＡＦＭ）で（Ａ）の表面を観察したところ、厚さが約１０ｎｍであることが分かり、単層でコートされたことを確認した。
【００５８】
（２）抗体の固定
Ｇｏａｔ  Ａｎｔｉ−Ｈｕｍａｎ  ＩｇＧ（Ｊａｃｋｓｏｎ  ＩｍｍｕｎｏＲｅｓｅａｒｃｈ）をＰＢＳにて希釈し（１００，２０、４，０．８，０．１６ｎｇ／μＬ、１μＬ）、上記（１）にて作製した固相担体（Ａ）に点着した。直ちに点着後の固相担体を２５℃、飽和食塩水チャンバーにて３時間放置した後、１％ＢＳＡ／０．０５％Ｔｗｅｅｎ２０―ＰＢＳ（ＰＢＳ―Ｔ）に１時間浸積することでブロッキング処理し、抗体スライド（Ｂ）を得た。
【００５９】
（３）リガンドとの反応及び検出
上記（２）で作製した抗体スライド（Ｂ）にＨｙｂｒｉＷｅｌｌ（ＧｒａｃｅＢｉｏ―Ｌａｂｓ）を密着させた。Ｈｕｍａｎ ＩｇＧ―Ｃｙ５（Ｊａｃｋｓｏｎ  ＩｍｍｕｎｏＲｅｓｅａｒｃｈ）を１％ＢＳＡ／ＰＢＳ―Ｔにて２μｇ／ｍｌに希釈し、１００μＬをＨｙｂｒｉＷｅｌｌ内に添加後、モイスチャーチャンバー内にて２５℃で１時間インキュベートした。次いでこのものを、ＰＢＳ―Ｔで３回洗浄し、ＰＢＳでリンス後７００ｒｐｍで５分間遠心処理することで乾燥させた。スライドガラス表面の蛍光強度を蛍光スキャニング装置で測定したところ、１００ｎｇ／μＬにて抗体をスポットした位置では３９．２となりバックグランンド蛍光強度より大きく増加した。従って、本発明の凹凸を持つ固相担体上にスルホニル基を介して抗体を結合させた抗体固定固相担体を用いることによって、その抗体固定固相担体に固定されている抗体と反応性を有するリガンドを効率的に検出できることが分かる
【００６０】
［実施例２］抗体固定化スライドによるリガンドの検出
（１）抗体の固定
Ｒａｂｂｉｔ  Ａｎｔｉ  Ｓｔｒｅｐｔａｖｉｄｉｎ（Ｐｏｌｙｓｉｅｎｃｅ）をＰＢＳにて希釈し（１００ｎｇ／μＬ）、１０μＬずつ３８４プレートに分注した。カーテシアン製アレイヤー（ＰｉｘＳｙｓ５５００）を用いて上記実施例１（１）にて作製した固相担体（Ａ）に点着した。直ちに点着後の固相担体を２５℃、飽和食塩水チャンバーにて１時間放置した後、１／４×ブロックエース（大日本製薬）／０．０５％Ｔｗｅｅｎ２０―ＰＢＳ（ＰＢＳ―Ｔ）に１時間浸積することでブロッキング処理し、抗体スライド（Ｃ）を得た。
【００６１】
（２）リガンドの標識
１ｍｇのＳｔｒｅｐｔａｖｉｄｉｎ（和光純薬）を４００μｌの０．１Ｍ  ＮａＨＣＯ３（ｐＨ８．０）にて溶解した。それをＣｙ３−ｍｏｎｏｆｕｎｃｔｉｏｎａｌ（Ａｍｅｒｓｈａｍ  Ｐｈａｒｍａｃｉａ  Ｂｉｏｔｅｃｈ）のチューブに移し、室温にて３０分間インキュベートした。そこに、１００μｌの１Ｍ  Ｔｒｉｓ・ＨＣｌ（ｐＨ８．０）を添加し、さらに室温にて３０分間インキュベートすることで反応を停止させた。この反応液をＮＡＰ−５カラム（Ａｍｅｒｓｈａｍ  Ｐｈａｒｍａｃｉａ  Ｂｉｏｔｅｃｈ）にて精製し、Ｃｙ３標識Ｓｔｒｅｐｔａｖｉｄｉｎを得た。
【００６２】
（３）リガンドとの反応および検出
上記（１）で作製した抗体スライド（Ｃ）にＳｅｃｕｒｅＳｅａｌ Ｈｙｂｒｉｄｉｚａｔｉｏｎ Ｃｈａｍｂｅｒ（ＳＡ５００，Ｇｒａｃｅ  Ｂｉｏ―Ｌａｂｓ）を密着させた。上記（２）で標識したＣｙ３−Ｓｔｒｅｐｔａｖｉｄｉｎを１／４×ブロックエース／ＰＢＳ―Ｔにて２μｇ／ｍｌに希釈し、５００μＬをＳＡ５００内に添加後、モイスチャーチャンバー内にて２５℃で１時間インキュベートした。次いでこのものを、ＰＢＳ―Ｔで３回洗浄し、ＰＢＳでリンス後７００ｒｐｍで５分間遠心処理することで乾燥させた。スライドガラス表面の蛍光強度を蛍光スキャニング装置で測定したところ、１９，３２０となり、バックグランンド蛍光強度より大きく増加した。従って、本発明の凹凸を持つ固相担体上にスルホニル基を介して抗体を結合させた抗体固定固相担体を用いることによって、マイクロアレイの系でもその抗体固定固相担体に固定されている抗体と反応性を有するリガンドを効率的に検出できることが分かる。
【００６３】
［実施例３］抗体固定化スライドによるリガンドの検出
（１）ビニルスルホニル基が導入された固相担体（Ｄ）の作製
ＤＮＡマイクロアレイ用コートスライドグラス（Ｔｙｐｅ２高密度化アミノ基導入タイプ［松浪硝子工業］）２０枚を市販のバスケットに入れ、３重量％１，２−ビス（ビニルスルホニルアセトアミド）エタン／ｐＨ８．０ほう酸緩衝溶液に浸積し、スライドウォッシャーを使い、１２０分間反応させる。反応終了後、超純水で２０秒間×３回水洗する。乾燥は２５℃にセットした乾燥機で３０分間乾燥する。
【００６４】
（２）抗体の固定
Ｇｏａｔ  Ａｎｔｉ  Ｈｕｍａｎ  ＩｇＧ（Ｊａｃｋｓｏｎ  ＩｍｍｕｎｏＲｅｓｅａｒｃｈ）をＰＢＳにて希釈し（１００ｎｇ／μＬ）、１０μＬずつ３８４プレートに分注した。カーテシアン製アレイヤー（ＰｉｘＳｙｓ５５００）を用いて上記実施例３（１）にて作製した固相担体（Ｄ）に点着した。直ちに点着後の固相担体を２５℃、飽和食塩水チャンバーにて１時間放置した後、１／４×ブロックエース（大日本製薬）／０．０５％Ｔｗｅｅｎ２０−ＰＢＳ（ＰＢＳ−Ｔ）に１時間浸積することでブロッキング処理し、抗体スライド（Ｅ）を得た。
【００６５】
（３）リガンドとの反応及び検出
上記（１）で作製した抗体スライド（Ｅ）にＳｅｃｕｒｅＳｅａｌ Ｈｙｂｒｉｄｉｚａｔｉｏｎ Ｃｈａｍｂｅｒ（ＳＡ５００，Ｇｒａｃｅ  Ｂｉｏ−Ｌａｂｓ）を密着させた。Ｈｕｍａｎ ＩｇＧ−Ｃｙ５（Ｊａｃｋｓｏｎ  ＩｍｍｕｎｏＲｅｓｅａｒｃｈ）を１／４×ブロックエース／ＰＢＳ―Ｔにて５，２， １， ０．２， ０．１μｇ／ｍｌに希釈し、５００μＬをＳＡ５００内に添加後、モイスチャーチャンバー内にて２５℃で１時間インキュベートした。次いでこのものを、ＰＢＳ―Ｔで３回洗浄し、ＰＢＳでリンス後７００ｒｐｍで５分間遠心処理することで乾燥させた。スライドガラス表面の蛍光強度を蛍光スキャニング装置で測定したところ、５，２， １， ０．２， ０．１μｇ／ｍｌのＨｕｍａｎ ＩｇＧ―Ｃｙ５を添加したスライドでそれぞれ、３３，５２５、２３，６２９、１５，００１、８，６６７、６，０５３となり、０．２〜２μｇ／ｍｌの範囲ではほぼ直線性が成り立った（図２）。
【００６６】
【発明の効果】
本発明により、迅速かつ安定に結合固定可能な反応性固相担体に少なくとも一つの特異的結合パートナーの一員が結合固定されてなる生物学的素材チップを提供することが可能になった。
【図面の簡単な説明】
【図１】図1は、本発明の代表的態様であるタンパク質チップの構成の模式図である。
【図２】図２は、本発明による抗体固定化スライドを用いてリガンドを検出した結果を示すグラフである。
【図１】
0004230126.tif 000003
【図２】
0004230126.tif 000004